(57)【要約】【課題】配線パターンに寄生する抵抗やインダクタンスを低減することにより、レーザ光源の動作を高速化可能な構成とした光ヘッド装置を提供すること。【解決手段】光ヘッド装置において、駆動用のＩＣとＤＶＤ用レーザダイオードとはフレキシブル基板８で接続され、その引き回し部分８２では、厚さが１０μｍ以下の薄い基材８０１の表面側に幅広の駆動信号用配線パターン９２が形成されている一方、基材８０の裏面側には、駆動信号用配線パターン９２と平面的に重なるようにグランド用配線パターン９１が駆動信号用配線パターン９２と等しい幅寸法で形成されている。【選択図】　　　図２
2004013935.tif 000002
【特許請求の範囲】
【請求項１】
レーザ光源と、該レーザ光源を駆動するレーザ駆動手段と、該レーザ駆動手段と前記レーザ光源とを接続するフレキシブル基板とがフレーム上に搭載された光ヘッド装置において、
前記フレキシブル基板では、前記レーザ駆動手段と前記レーザ光源とを電気的に接続するグランド用配線パターンおよび駆動信号用配線パターンが薄い絶縁層を介して平面的に重なっていることを特徴とする光ヘッド装置。
【請求項２】
請求項１において、前記グランド用配線パターンおよび前記駆動信号用配線パターンはそれぞれ、前記フレキシブル基板の基材の表面側および裏面側に形成されていることを特徴とする光ヘッド装置。
【請求項３】
請求項１において、前記グランド用配線パターンは、前記駆動信号用配線パターンを表面側および裏面側で挟むように２層、形成されていることを特徴とする光ヘッド装置。
【請求項４】
請求項１において、前記グランド用配線パターンおよび前記駆動信号用配線パターンは、前記フレキシブル基板の基材の同一面上に形成され、
当該フレキシブル基板は、前記グランド用配線パターンと前記駆動信号用配線パターンとが前記基材を介して平面的に重なるように折り曲げられていることを特徴とする光ヘッド装置。
【発明の詳細な説明】
【０００１】
【発明の属する技術分野】
本発明は、レーザ光源とレーザ駆動手段とがフレキシブル基板で接続された光ヘッド装置に関するものである。
【０００２】
【従来の技術】
ＣＤ（コンパクトディスク）やＤＶＤ（ディジタルバーサタイルディスク）などの光記録媒体の記録、再生に用いられる光ヘッド装置では、レーザダイオードなどのレーザ光源からの出射光を導光系を介して対物レンズに導き、対物レンズによって収束させた光を光記録媒体に収束させる。ここで、対物レンズや、対物レンズをトラッキング方向およびフォーカシング方向に駆動するレンズ駆動装置などは金属製あるいは樹脂製のフレームに搭載されているとともに、このフレームには、レーザ光源やフォトダイオードなどの受光素子も搭載されている。また、フレーム上には、レーザ光源を駆動するための駆動回路が形成されたＩＣ、およびこのＩＣとレーザ光源とを接続するフレキシブル基板も搭載されている。
【０００３】
ここで、フレキシブル基板は、フレームの形状、ＩＣやレーザ光源の配置位置、その他のレイアウト上の制約から、図５にフレキシブル基板の平面図を示すように、レーザ光源の実装部分１８０が、ＩＣが実装される本体部分１８１から帯状に延設された引き回し部分１８２の先端側に形成されていることが多い。このため、ＩＣとレーザ光源とを電気的に接続するグランド用配線パターン１９１、および駆動信号用配線パターン１９２は、フレキシブル基板１０８の引き回し部分１８２の表面側に並列に形成されている。ここで、レーザ光源の実装部分１８０には、レーザ光源の端子を差し込む孔１８４、１８５が形成されているとともに、その周りには、グランド用配線パターン１９１および駆動信号用配線パターン１９２に接続するランド１９４、１９５が形成されている。
【０００４】
【発明が解決しようとする課題】
しかしながら、光ヘッド装置では、駆動信号用配線パターン１９２を介して供給される駆動信号には交流が重畳されているとともに、光記録媒体の記録密度の向上に伴って駆動信号用配線パターン１９２を介して供給される信号が高周波数化されつつあるため、従来のように、帯状の引き回し部分１８２にグランド用配線パターン１９１および駆動信号用配線パターン１９２を並列に形成したのでは、配線パターンの幅が狭いものとなってしまう。その結果、配線抵抗が大きいので、発熱による損失が大きいという問題点がある。また、配線によるグランドループが大きいため、外来ノイズに弱く、不要輻射も起こりやすい。さらに、配線パターンのインダクタンスが大きいため、レーザ光源の駆動速度が低下してしまうという問題点もある。
【０００５】
以上の問題点に鑑みて、本発明の課題は、配線パターンの抵抗やインダクタンスを低減することにより、レーザ光源の動作を高速化可能な構成とした光ヘッド装置を提供することにある。
【０００６】
【課題を解決するための手段】
上記課題を解決するために、本発明では、レーザ光源と、該レーザ光源を駆動するレーザ駆動手段と、該レーザ駆動手段と前記レーザ光源とを接続するフレキシブル基板とがフレーム上に搭載された光ヘッド装置において、前記フレキシブル基板では、前記レーザ駆動手段と前記レーザ光源とを電気的に接続するグランド用配線パターンおよび駆動信号用配線パターンが薄い絶縁層を介して平面的に重なっていることを特徴とする。
【０００７】
このように構成すると、フレームの形状、ＩＣやレーザ光源の配置位置、その他のレイアウト上の制約から、フレキシブル基板の引き回し部分を狭くせざるを得ない場合でも、引き回し部分の幅寸法いっぱいに幅広のグランド用配線パターン、および駆動信号用配線パターンを形成することができる。このため、グランド用配線パターン、および駆動信号用配線パターンは、幅広である分、配線抵抗が小さいので、発熱としてのエネルギー損失を低減できる。また、グランド用配線パターン、および駆動信号用配線パターンを幅広に形成できる分、実効インダクタンスを小さくできるため、配線が長くても、応答速度の低下を最小限に抑えることができ、配線パターンを設計する際の自由度も向上する。また、配線を並列させた場合、配線同士を近接させようにも、フォトリソグラフィ技術上の制約から配線同士の間隔を通常、１００μｍ位にまで狭めることができないが、絶縁層であれば１０μｍ以下の厚さに形成することもできるため、本発明によれば、グランド用配線パターンと駆動信号用配線パターンとの間隔を狭めることができる。このため、電磁波の放射を抑制できる。また、配線によるグランドループが小さいので、外来ノイズに対する耐性を向上することができる。さらに、相互インダクタンスも小さくできるので、高速駆動に適している。
【０００８】
本発明において、例えば、前記グランド用配線パターンおよび前記駆動信号用配線パターンはそれぞれ、前記フレキシブル基板の基材の表面側および裏面側に形成されている。すなわち、フレキシブル基板として両面基板を用いることにより、グランド用配線パターンと駆動信号用配線パターンとが薄い絶縁層を介して平面的に重なっている構成とする。
【０００９】
本発明において、前記グランド用配線パターンは、前記駆動信号用配線パターンを表面側および裏面側で挟むように２層、形成されていることが好ましい。このように構成すると、グランド用配線パターンが駆動信号用配線パターンに対してシールド層として機能するため、外来ノイズに対する耐性が向上するなどの利点がある。
【００１０】
本発明において、前記グランド用配線パターンおよび前記駆動信号用配線パターンは、前記フレキシブル基板の基材の同一面上に形成され、前記グランド用配線パターンと前記駆動信号用配線パターンとが前記基材を介して平面的に重なるように前記フレキシブル基板が折り曲げられている構成であってもよい。このように構成すると、フレキシブル基板として安価な片面基板を用いることができる。
【００１１】
【発明の実施の形態】
以下に図面を参照して本発明を適用した光ヘッド装置を説明する。
【００１２】
［実施の形態１］
（光ヘッド装置の全体構成）
図１は、ＣＤ、ＣＤ−Ｒ、およびＤＶＤの記録再生を行う光ヘッド装置の斜視図である。
【００１３】
図１に示すように、本形態の光ヘッド装置１は、樹脂製あるいは金属製のフレーム３を有しており、このフレーム３は、機器に対して相互に平行となるように取り付けた２本のガイドシャフト（図示せず）が連結部３０１、３０２、３０３に通されていることにより、ガイドシャフトに沿って移動可能である。
【００１４】
このフレーム３の側面部３２には、ＤＶＤ用レーザダイオード４と、ＣＤ用レーザダイオード５とが搭載されている。すなわち、ＤＶＤ用レーザダイオード４、およびＣＤ用レーザダイオード５はそれぞれ、ヒートシンクおよび位置調整部材を兼ねたホルダ６、７に固着された状態でフレーム３の側面に接着剤により固定されている。ここで、ＤＶＤ用レーザダイオード４はＤＶＤの記録再生用であり、波長６５０ｎｍあるいは６３５ｎｍのレーザ光を出射する。一方、ＣＤ用レーザダイオード５は、ＣＤおよびＣＤ−Ｒの記録、再生用であり、波長７８０〜８００ｎｍのレーザ光を出射する。
【００１５】
図示を省略するが、フレーム３には、受光素子、センサレンズ、導光系、コリメートレンズ、および立ち上げミラーなどの光学素子が実装されており、立ち上げミラーの上方には、光記録媒体（図示せず）に向けてレーザ光を出射する対物レンズ９が配置されている。従って、各レーザダイオード４、５から出射されたレーザ光は、前記の光学素子が規定する共通光路に導かれ、この共通光路を利用してＣＤ、ＣＤ−Ｒ、およびＤＶＤの全ての記録再生を行うことができるようになっている。なお、フレーム３には、対物レンズ９をフォーカシング方向およびトラッキング方向に駆動する対物レンズ駆動装置５０も搭載されている。この対物レンズ駆動装置５０として、本形態では、軸摺動回動型の駆動装置が用いられている。
【００１６】
このように構成した光ヘッド装置１において、ＤＶＤ用レーザダイオード４やＣＤ用レーザダイオード５の駆動などを行うために、フレーム３にはフレキシブル基板８が搭載されている。ここで、フレーム３は、光学系のレイアウト、および軽量化などの観点から種々の形状に設計されており、フレーム３の形状に合わせて、フレキシブル基板８の形状も規定されている。
【００１７】
例えば、本形態では、フレーム３の上面３１に広くて平坦な領域が形成されており、そこから、ＤＶＤ用レーザダイオード４が実装されているフレーム３の側面部３２に向かっては、上面３２よりも１段、低くなった段部３３が形成されている。
【００１８】
（フレキシブル基板８の構成）
図２（Ａ）、（Ｂ）、（Ｃ）はそれぞれ、図１に示す光ヘッド装置に用いたフレキシブル基板並びに駆動信号用配線パターンの平面形状を示す平面図、このフレキシブル基板のグランド用パターンの平面形状を示す平面図、およびこのフレキシブル基板の断面構造を模式的に示す断面図である。
【００１９】
図１において、フレキシブル基板８は、フレーム３の形状などに対応した形状を有しており、フレーム３の上面３１に重なる本体部８１、この本体部８１からフレーム３の側面部３２まで帯状に延びた引き回し部分８２、およびこの引き回し部分８２の先端側でＤＶＤ用レーザダイオード４が実装される実装部８０を備えている。また、フレキシブル基板８は、引き回し部分８２の途中位置に、引き回し部分８２を段部３３に固定するために両側に矩形に張り出した固定部８９を備えている。
【００２０】
フレキシブル基板８の本体部８１には駆動用のＩＣ２（レーザ駆動手段）が実装され、この駆動用のＩＣ２の上方位置には、フレーム３にネジ２２で止められた放熱板２１が被さっている。このため、ＩＣ２で発生した熱は、放熱板２１を介して逃げる。しかも、ＩＣ２および放熱板２１は、フレーム３の上面３１に配置され、この領域の上方位置で光記録媒体が回転する。従って、放熱板２１は、光記録媒体の回転によって発生した空気の流れによって効率よく熱を逃がすので、光ヘッド装置１の信頼性が高い。
【００２１】
本形態では、フレキシブル基板８として、図２（Ａ）、（Ｂ）、（Ｃ）に示す両面基板が用いられ、、フレキシブル基板８の引き回し部分８２には、厚さが１０μｍ以下の薄い基材８０１の表面側に、幅広の駆動信号用配線パターン９２が形成されている一方、基材８０の裏面側には、駆動信号用配線パターン９２と平面的に重なるようにグランド用配線パターン９１が駆動信号用配線パターン９２と等しい幅寸法で形成されている。
【００２２】
また、フレキシブル基板８の実装部８０には、ＤＶＤ用レーザダイオード４の端子を差し込む孔８４、８５が形成されているとともに、孔８４、８５の周りには、ランド９４、９５が形成されている。これらのランド９４、９５のうち、ランド９５は、基材８０１の表面側に駆動信号用配線パターン９２と一体に形成されている一方、ランド９４は、基材８０１に形成されたスルーホール８１１を介して裏面側のグランド配線パターン９１に接続している。
【００２３】
また、フレキシブル基板８の本体部８１には、ＩＣ２が実装される多数のランドが形成され、これらのランドのうち、駆動信号が出力されるランド９６は、基材８０１の表面側に駆動信号用配線パターン９２と一体に形成されている一方、グランド電位に保持されるランド９７は、基材８０１に形成されたスルーホール８１２を介して裏面側のグランド配線パターン９１に接続している。
【００２４】
なお、フレキブル基板８において、その表面側にはランド９４、９５、９６、９７が形成されている領域を避けるようにソルダーレジスト８０５が形成され、裏面には、ほぼ全面にわたってソルダーレジスト８０６が形成されている。
【００２５】
このように、本形態の光ヘッド装置１では、フレーム３の形状、ＩＣ２やＤＶＤ用レーザダイオード４の配置位置、その他のレイアウト上の制約から、フレキシブル基板８の引き回し部分８２の幅を狭くなっているが、駆動信号用配線パターン９２、およびグランド用配線パターン９１は、平面的に重なるようにフレキシブル基板８の表面側および裏面側の各々に形成されている。このため、グランド用配線パターン９１、および駆動信号用配線パターン９２を幅広に形成できる分、配線抵抗が小さいので、発熱としてのエネルギー損失を低減できる。また、グランド用配線パターン９１、および駆動信号用配線パターン９２を幅広に形成できる分、実効インダクタンスを小さくできるため、配線が長くても、応答速度の低下を最小限に抑えることができ、配線パターンを設計する際の自由度も向上する。また、配線を並列させた場合には配線同士を近接させようにも、フォトリソグラフィ技術上の制約から配線同士の間隔を１００μｍ以下に狭めることができないが、絶縁層としての基材８０１については、１０μｍ以下の厚さに形成することもできるため、本形態によれば、グランド用配線パターン９１と駆動信号用配線パターン９２との間隔が狭い。このため、配線パターンからの電磁波の放射を抑制できる。また、配線によるグランドループが小さいので、外来ノイズに対する耐性を向上することができる。さらに、相互インダクタンスも小さくできるので、高速駆動に適している。
【００２６】
［実施の形態２］
図３（Ａ）、（Ｂ）、（Ｃ）、（Ｄ）はそれぞれ、本発明の実施の形態２に係る光ヘッド装置に用いたフレキシブル基板の断面図、このフレキシブル基板の上層に形成された第１のグランド用配線パターンの平面形状を示す平面図、フレキシブル基板の中間層に形成された駆動信号用配線パターンの平面形状を示す平面図、およびフレキシブル基板の下層に形成された第２のグランド用配線パターンの平面形状を示す平面図である。
【００２７】
図１、および図３（Ａ）、（Ｂ）、（Ｃ）、（Ｄ）に示すように、本形態の光ヘッド装置に用いられたフレキシブル基板８も、フレーム３の上面３１に重なる本体部８１、この本体部８１からフレーム３の側面部３２まで帯状に延びた引き回し部分８２、およびこの引き回し部分８２の先端側でＤＶＤ用レーザダイオード４が実装される実装部８０を備えている。また、フレキシブル基板８は、引き回し部分８２の途中位置に、引き回し部分８２を段部３３に固定するために両側に矩形に張り出した固定部８９を備えている。
【００２８】
本形態では、フレキシブル基板８として多層基板が用いられ、フレキシブル基板８の引き回し部分８２には、厚さが１０μｍ以下の薄い第１の基材８０２の表面側には、幅広の第１のグランド用配線パターン９１１が形成されている一方、第１の基材８０２の裏面側には、第１のグランド用配線パターン９１１と平面的に重なるように駆動信号用配線パターン９２が第１のグランド用配線パターン９１１と等しい幅寸法で形成されている。
【００２９】
また、本形態のフレキシブル基板８では、駆動信号用配線パターン９２が第２の基材８０３の表面側に形成された状態にあり、この第２の基材８０３の裏面側には、駆動信号用配線パターン９２と平面的に重なるように第２のグランド用配線パターン９１２が駆動信号用配線パターン９２と等しい幅寸法で形成されている。
【００３０】
また、フレキシブル基板８の実装部８０には、ＤＶＤ用レーザダイオード４の端子を差し込む孔８４、８５の周りにランド９４、９５が形成されている。これらのランド９４、９５のうち、ランド９４は、第１の基材８０２の表面側に形成された第１のグランド配線パターン９１１と一体に形成され、かつ、ランド９４は、スルーホール８１５を介して第２の基材８０３の裏面側に形成された第２のグランド配線パターン９１２に電気的に接続している。これに対して、ランド９５は、スルーホール８１６を介して第１の基材８０２の裏面側に形成された駆動信号用配線パターン９２に電気的に接続している。
【００３１】
また、フレキシブル基板８の本体部８１には、ＩＣ２が実装される多数のランドが形成され、これらのランドのうち、駆動信号が出力されるランド９７は、第１の基材８０２の表面側に形成された第１のグランド配線パターン９１１と一体に形成され、かつ、ランド９７は、スルーホール８１７を介して第２の基材８０３の裏面側に形成された第２のグランド配線パターン９１２に電気的に接続している。これに対して、ランド９６は、スルーホール８１８を介して第１の基材８０２の裏面側に形成された駆動信号用配線パターン９２に電気的に接続している。
【００３２】
なお、フレキブル基板８において、その表面側にはランド９４、９５、９６、９７が形成されている領域を避けるようにソルダーレジスト８０５が形成され、裏面には、ほぼ全面にわたってソルダーレジスト８０６が形成されている。
【００３３】
このように、本形態の光ヘッド装置１でも、フレキシブル基板８の引き回し部分８２の幅を狭くせざるを得ない場合でも、第１のグランド用配線パターン９１、第２のグランド用配線パターン９１２、および駆動信号用配線パターン９２が互いに平面的に重なる異なる層として形成されているため、第１のグランド用配線パターン９１、第２のグランド用配線パターン９１２、および駆動信号用配線パターン９２を幅広に形成できる。このため、第１のグランド用配線パターン９１、第２のグランド用配線パターン９１２、および駆動信号用配線パターン９２は、幅広である分、配線抵抗が小さいので、発熱としてのエネルギー損失を低減できる。また、絶縁層としての基材８０２、８０２については、１０μｍ以下の厚さに形成することもできるため、第１のグランド用配線パターン９１１と駆動信号用配線パターン９２との間隔、および第２のグランド用配線パターン９１２と駆動信号用配線パターン９２との間隔が狭い。このため、電磁波の放射を抑制できるなど、実施の形態１と同様な効果を奏する。
【００３４】
また、駆動信号用配線パターン９２は、表面側および裏面側が第１のグランド用配線パターン９１１と第２のグランド用配線パターン９１２で挟まれた構成になっているので、第１のグランド用配線パターン９１１、および第２のグランド用配線パターン９１２は、駆動信号用配線パターン９２に対してシールド層として機能するため、外来ノイズに対する耐性が向上するなどの利点がある。
【００３５】
［実施の形態３］
図４（Ａ）、（Ｂ）、（Ｃ）、（Ｄ）はそれぞれ、本発明の実施の形態３に係る光ヘッド装置に用いたフレキシブル基板の折り曲げ前の平面図、このフレキシブル基板を折り曲げる前の駆動信号用配線パターンが形成されている部分の断面図、フレキシブル基板を折り曲げる前のグランド用配線パターンが形成されている部分の断面図、およびフレキシブル基板を２つ折りにした状態の断面図である。
【００３６】
図１において、本形態の光ヘッド装置に用いられたフレキシブル基板８も、本体部８１からフレーム３の側面部３２まで帯状に延びた引き回し部分８２を備えている。
【００３７】
ここで、フレキシブル基板８の引き回し部分８２は、図４（Ａ）に示すように、引き回し部分８２の約２倍の幅寸法を有する部分を２つ折りにすることにより構成されている。すなわち、本形態において、フレキシブル基板８２は、図４（Ｂ）、（Ｃ）に示すように、厚さが１０μｍ以下の薄い基材８０８の表面側に駆動信号用配線パターン９２、およびグランド用配線パターン９１が等しい幅寸法で並列に形成された片面基板から形成され、これを図４（Ａ）に示す一点鎖線Ｌで示す位置で裏面側に折り曲げ、かつ、図４（Ｄ）に示すように、接着剤８８などで貼り合わせて引き回し部分８２を形成してある。このため、本形態でも、グランド用配線パターン９１、および駆動信号用配線パターン９２は、基材８０８を介して互いに平面的に重なっている。なお、駆動信号用配線パターン９２、およびグランド用配線パターン９１の上層側にはソルダーレジスト８０９が形成されている。
【００３８】
このように構成したフレキシブル基板８の引き回し部分８２でも、駆動信号用配線パターン９２、およびグランド用配線パターン９１がフレキシブル基板８の表面側および裏面側の各々に位置しているため、引き回し部分８２の幅が狭くても、グランド用配線パターン９１、および駆動信号用配線パターン９２を幅広に形成することができる。このため、配線抵抗が小さいので、発熱としてのエネルギー損失を低減できる。また、絶縁層としての基材８０８については、１０μｍ以下の厚さに形成することもできるため、グランド用配線パターン９１と駆動信号用配線パターン９２との間に介在する絶縁層としては２０μｍ（基材８０８の２層分、および接着剤８８の厚さの和）以下に抑えることができるので、電磁波の放射を抑制できるなど、実施の形態１と同様な効果を奏する。
【００３９】
さらに本形態では、片面基板を用いたので、フレキシブル基板８を安価に製造できるという利点もある。
【００４０】
（その他の実施の形態）
なお、上記の形態では、ＩＣ２とＤＶＤ用レーザダイオード４との接続部分に本発明を適用したが、ＩＣ２とＣＤ用レーザダイオード５との接続部分に本発明を適用してもよい。
【００４１】
【発明の効果】
以上説明したように、本発明では、フレームの形状などの制約から、フレキシブル基板の引き回し部分を狭くせざるを得ない場合でも、幅広のグランド用配線パターン、および駆動信号用配線パターンを形成することができる。このため、配線抵抗が小さいので、発熱としてのエネルギー損失を低減できる。また、グランド用配線パターン、および駆動信号用配線パターンを幅広に形成できる分、実効インダクタンスを小さくできるため、配線が長くても、応答速度の低下を最小限に抑えることができ、配線パターンを設計する際の自由度も向上する。また、ランド用配線パターンと駆動信号用配線パターンとの間隔を狭めることができるため、電磁波の放射を抑制できる。また、配線によるグランドループが小さいので、外来ノイズに対する耐性を向上することができる。さらに、相互インダクタンスも小さくできるので、高速駆動に適している。
【図面の簡単な説明】
【図１】ＣＤ、ＣＤ−Ｒ、およびＤＶＤの記録再生を行う光ヘッド装置の斜視図である。
【図２】（Ａ）、（Ｂ）、（Ｃ）はそれぞれ、本発明の実施の形態１に係る光ヘッド装置に用いたフレキシブル基板並びに駆動信号用配線パターンの平面形状を示す平面図、このフレキシブル基板のグランド用パターンの平面形状を示す平面図、およびこのフレキシブル基板の断面構造を模式的に示す断面図である。
【図３】（Ａ）、（Ｂ）、（Ｃ）、（Ｄ）はそれぞれ、本発明の実施の形態２に係る光ヘッド装置に用いたフレキシブル基板の断面図、このフレキシブル基板の上層に形成された第１のグランド用配線パターンの平面形状を示す平面図、フレキシブル基板の中間層に形成された駆動信号用配線パターンの平面形状を示す平面図、およびフレキシブル基板の下層に形成された第２のグランド用配線パターンの平面形状を示す平面図である。
【図４】（Ａ）、（Ｂ）、（Ｃ）、（Ｄ）はそれぞれ、本発明の実施の形態３に係る光ヘッド装置に用いたフレキシブル基板の折り曲げ前の平面図、このフレキシブル基板を折り曲げる前の駆動信号用配線パターンが形成されている部分の断面図、フレキシブル基板を折り曲げる前のグランド用配線パターンが形成されている部分の断面図、およびフレキシブル基板を２つ折りにした状態の断面図である。
【図５】従来の光ヘッド装置に用いたフレキシブル基板の平面図である。
【符号の説明】
１　光ヘッド装置
２　駆動用のＩＣ（レーザ駆動手段）
３　フレーム
４　ＤＶＤ用レーザダイオード
５　ＣＤ用レーザダイオード
８　フレキシブル基板
９　対物レンズ
２１　放熱板
３１　フレームの上面
３２　フレームの側面部
３３　フレームの段部
８０　フレキシブル基板の実装部
８１　フレキシブル基板の本体部
８２　フレキシブル基板の引き回し部分
８８　接着剤
８９　フレキシブル基板の固定部
９１　グランド用配線パターン
９２　駆動信号用配線パターン
９４、９５、９６、９７　ランド
８０１、８０８　基材
８０２　第１の基材
８０３　第２の基材
８０５、８０６、８０９　ソルダーレジスト
８１１、８１２、８１５、８１６　スルーホール
９１１　第１のグランド用配線パターン
９１２　第２のグランド用配線パターン
【図１】
2004013935.tif 000003
【図２】
2004013935.tif 000004
【図３】
2004013935.tif 000005
【図４】
2004013935.tif 000006
【図５】
2004013935.tif 000007